(57)【要約】【課題】長時間使用することを可能とした紙製ストロー具を提供する。【解決手段】紙製ストロー本体と、前記紙製ストロー本体が軸方向に移動可能に係合すると共に容器開口部の内側縁部又は外側縁部に着脱可能に固定される紙製の固定部とを備えた構成とされている。【選択図】図１
0003219301.tif 000002
【実用新案登録請求の範囲】
【請求項１】
紙製ストロー本体と、前記紙製ストロー本体が軸方向に移動可能に係合すると共に容器開口部の内側縁部又は外側縁部に着脱可能に固定される紙製の固定部とを備えたことを特徴とする紙製ストロー具。
【請求項２】
前記固定部は、前記紙製ストロー本体が係合する係合部と、前記係合部に連設され、前記容器開口部の縁部の内側又は外側に当接する当接部とを有することを特徴とする請求項１記載の紙製ストロー具。
【請求項３】
前記固定部は断面略Ｌ字状に形成され、前記係合部と、前記係合部に折曲形成された前記当接部とにより構成されていることを特徴とする請求項２に記載の紙製ストロー具。
【請求項４】
前記係合部には、前記紙製ストロー本体が挿通可能な孔部が形成されていることを特徴とする請求項２又は３に記載の紙製ストロー具。
【請求項５】
前記孔部は、前記紙製ストロー本体を軸方向に移動させた場合に適宜位置において保持できる径寸法に形成されていることを特徴とする請求項４記載の紙製ストロー具。
【考案の詳細な説明】
【技術分野】
【０００１】
本考案は、紙製ストロー具に係り、特に、長時間使用することが可能な紙製ストロー具に関するものである。
【背景技術】
【０００２】
近年、耐久性等の面からプラスチック製ストローが主流であったが、自然界ではなかなか分解されない廃棄された大量のプラスチック製ストローが海洋汚染等の原因となり、社会問題化しており、自然界でも容易に分解される紙製ストローが注目を浴びるようになった。
【０００３】
しかしながら、紙製ストローは、コップ等の容器内の飲料に長時間浸ると水分を吸収し、ストローとしては使い物にならないという問題があるため、主に、材質面の改良が行われつつあるが、構造面によりこの問題点を解決しようとする従来技術は見聞されない。
【０００４】
なお、特許文献１〜３に開示された従来技術は、ストローの材質は明記されていないが、現在も主流であるプラスチック製ストローが対象であるものと推認される。
【先行技術文献】
【特許文献】
【０００５】
【特許文献１】実用新案登録第３１８０７８２号公報
【特許文献２】実開昭６２−８７５７６号公報
【特許文献３】実開昭５０−１４９３８０号公報
【考案の概要】
【考案が解決しようとする課題】
【０００６】
本考案は、以上のような従来の問題点を解消するためのものであって、その課題は、長時間使用することを可能とした紙製ストロー具を提供することにある。
【課題を解決するための手段】
【０００７】
前記課題を解決するために、請求項１記載の考案にあっては、紙製ストロー本体と、前記紙製ストロー本体が軸方向に移動可能に係合すると共に容器開口部の内側縁部又は外側縁部に着脱可能に固定される紙製の固定部とを備えたことを特徴とする。
【０００８】
従って、請求項１記載の考案にあっては、前記紙製ストロー本体を、軸方向の適宜位置に移動させて、紙製の前記固定部により、前記容器開口部の縁部に着脱可能に固定させることができる。
【０００９】
請求項２記載の考案にあっては、前記固定部は、前記紙製ストロー本体が係合する係合部と、前記係合部に連設され、前記容器開口部の縁部の内側又は外側に当接する当接部とを有することを特徴とする。
【００１０】
従って、請求項２記載の考案にあっては、前記固定部を前記係合部と前記当接部とで一体成形することができる。
【００１１】
請求項３記載の考案にあっては、前記固定部は断面略Ｌ字状に形成され、前記係合部と、前記係合部に折曲形成された前記当接部とにより構成されていることを特徴とする。
【００１２】
従って、請求項３記載の考案にあっては、前記固定部の前記当接部を折り曲げて成形することができる。
【００１３】
請求項４記載の考案にあっては、前記係合部には、前記紙製ストロー本体が挿通可能な孔部が形成されていることを特徴とする。
【００１４】
従って、請求項４記載の考案にあっては、前記固定部の前記係合部を、孔部により形成することができる。
【００１５】
請求項５記載の考案にあっては、前記孔部は、前記紙製ストロー本体を軸方向に移動させた場合に適宜位置において保持できる径寸法に形成されていることを特徴とする。
【００１６】
従って、請求項５記載の考案にあっては、前記孔部を楕円とし、例えば、前記紙製ストロー本体の径寸法と略同一の短径寸法に形成すれば、前記紙製ストロー本体を軸方向に移動させた場合に適宜位置において保持することができ、前記容器内で、前記紙製ストロー本体を傾斜させることもできる。
【考案の効果】
【００１７】
請求項１記載の紙製ストロー具にあっては、前記紙製ストロー本体を、軸方向の適宜位置に移動させて、紙製の前記固定部により、前記容器開口部の縁部に着脱可能に固定させることができるので、前記容器内の飲料に前記紙製ストロー本体が浸らない状態にすることができるため前記紙製ストロー本体が水分の浸潤により劣化することがなく、長時間使用することが可能となる。
【００１８】
すなわち、前記容器内に飲料を多く入れてお客等に提供する際は、前記紙製ストロー本体を前記容器の外側になるように前記固定部で固定すれば、前記紙製ストロー本体が飲料に浸らない状態にすることができるため前記紙製ストロー本体が水分の浸潤により劣化することがなく、飲料を飲む際には前記固定部により前記紙製ストロー本体を前記容器の内側になるように配置し、一時、飲料を飲みかけの状態で放置する場合には、前記紙製ストロー本体が飲料に浸らない適宜位置に前記紙製ストロー本体を移動させておけばよい。
【００１９】
そのうえ、前記紙製ストロー本体と、前記固定部が共に紙製なので、ゴミとして廃棄されても、自然界でも容易に分解されるため、海洋汚染等の原因とはならずに済み、自然環境に悪影響を与えない製品を提供することができる。
【００２０】
請求項２記載の紙製ストロー具にあっては、前記固定部を前記係合部と前記当接部とで一体成形することができるので、前記固定部も低コストで製造することができ、ひいては普及率を高めることができる。
【００２１】
請求項３記載の紙製ストロー具にあっては、前記固定部の前記当接部を折り曲げて成形することができるので、前記固定部をより低コストで製造することができ、ひいてはより普及率を高めることができる。
【００２２】
請求項４記載の紙製ストロー具にあっては、前記固定部の前記係合部を、孔部により形成することができるので、前記固定部を更により低コストで製造することができ、ひいては更により普及率を高めることができる。
【００２３】
請求項５記載の紙製ストロー具にあっては、前記孔部を楕円とし、例えば、前記紙製ストロー本体の径寸法と略同一の短径寸法に形成すれば、前記紙製ストロー本体を軸方向に移動させた場合に前記紙製ストロー本体と前記孔部内周部との間の摩擦により適宜位置において保持することができ、前記容器内で、前記紙製ストロー本体を傾斜させることもできるので、製造も容易で更に機能的にすることができる。
【図面の簡単な説明】
【００２４】
【図１】図１は、本考案に係る紙製ストロー具の一実施形態において、紙製ストロー本体を内側にして、紙製ストロー本体が飲料に浸らないようにして容器としてのコップに固定した状態を示す説明図である。
【図２】図２は、本考案に係る紙製ストロー具の一実施形態において、紙製ストロー本体を外側にして、容器としてのコップに固定した状態を示す説明図である。
【図３】図３は、本考案に係る紙製ストロー具の一実施形態において、固定部を示す斜視図である。
【図４】図４は、本考案に係る紙製ストロー具の一実施形態において、固定を解除して、容器としてのコップの中の飲料内に紙製ストロー本体を入れた状態を示す説明図である。
【図５】図５は、本考案に係る紙製ストロー具の固定部の他の実施形態を示す斜視図である。
【考案を実施するための形態】
【００２５】
以下、本考案に係る紙製ストロー具を、一実施形態に基づき、図面を参照して説明する。
【００２６】
先ず、一実施形態の構成について説明する。
図１〜図４は、本考案に係る一実施形態の紙製ストロー具１０を説明するための図である。
【００２７】
この一実施形態の紙製ストロー具１０は、図１〜図４に示すように、細長円筒状の紙製ストロー本体１１と、紙製ストロー本体１１が軸方向に移動可能に係合すると共に容器としてのコップ１２の開口部１３の縁部１３ａに着脱可能に固定される紙製の固定部１４とを備えた構成とされている。
【００２８】
ここで、固定部１４は、図１〜図３に示すように、紙製ストロー本体１１が係合する係合部１４ａと、係合部１４ａに連設され、容器としてのコップ１２の開口部１３の縁部１３ａの内側又は外側に当接される当接部１４ｂとを有する。
【００２９】
より具体的には、固定部１４は断面略Ｌ字状に形成され、係合部１４ａと、係合部１４ａに折曲形成された当接部１４ｂとにより構成されている。
【００３０】
また、係合部１４ａには、図１及び図３に示すように、紙製ストロー本体１１が挿通可能な楕円形状の孔部１５が形成されている。
【００３１】
さらに、孔部１５は、円筒状の紙製ストロー本体１１を軸方向に移動させた場合に適宜位置において保持できる短径寸法Ｌ２に形成されている。
【００３２】
すなわち、孔部１５の短径寸法Ｌ２は紙製ストロー本体１１の径寸法Ｌ１と略同一とされている。
【００３３】
これにより、孔部１５と紙製ストロー本体１１との間の摩擦力により円筒状の紙製ストロー本体１１を軸方向に移動させた場合に適宜位置において保持できるだけでなく、図１に示すように、紙製ストロー本体１１を傾斜させた状態に保持することもできる。
【００３４】
次に、一実施形態の作用効果について説明する。
【００３５】
この本考案の一実施形態の紙製ストロー具１０によれば、図１〜図４に示すように、上記した構成なので、紙製ストロー本体１１を、軸方向の適宜位置に移動させて、紙製の固定部１４により、容器としてのコップ１２の開口部１３の縁部１３ａに着脱可能に固定させることができるので、容器としてのコップ１２内の水、お茶、ジュース等の飲料１７に紙製ストロー本体１１が浸らなくて済むため、紙製ストロー本体１１の飲料１７の浸潤による劣化を防ぐことができるため、長時間使用することができる。
【００３６】
すなわち、容器としてのコップ１２内に飲料１７を多く入れてお客等に出す際は、図２に示すように、紙製ストロー本体１１を容器としてのコップ１２の外側になるように固定部１４で固定すれば、紙製ストロー本体１１が飲料１７に浸らなくて済み、飲料１７を飲みかけの際は、図１に示すように、紙製ストロー本体１１が飲料１７に浸らない適宜位置に移動して容器としてのコップ１２の内側になるようにしておけばよい。なお、容器としてのコップ１２内の飲料１７の残りが少ない場合は、図４に示すように、容器としてのコップ１２と固定部１４との固定状態を解除し、使用してもよい。
【００３７】
そのうえ、紙製ストロー本体１１と、固定部１４が共に紙製なので、ゴミとして廃棄されても、自然界でも容易に分解されるため、海洋汚染等の原因とはならずに済み、自然環境に悪影響を与えない製品を提供することができる。
【００３８】
ここで、固定部１４を係合部１４ａと当接部１４ｂとで一体成形することができるので、固定部１４も低コストで製造することができ、ひいては普及率を高めることができる。
【００３９】
また、固定部１４の当接部１４ｂを折り曲げて成形することができるので、固定部１４をより低コストで製造することができ、ひいてはより普及率を高めることができる。
【００４０】
さらに、固定部１４の係合部１４ａを、孔部１５により形成することができるので、固定部１４を更により低コストで製造することができ、ひいては更により普及率を高めることができる。
【００４１】
また、孔部１５を楕円とし、紙製ストロー本体１１の径寸法Ｌ１と略同一の短径寸法Ｌ２に形成しているため、紙製ストロー本体１１を軸方向に移動させた場合に適宜位置において保持することができ、容器としてのコップ１２内で、紙製ストロー本体１１を傾斜させることもできるので、製造も容易で更に機能的にすることができる。
【００４２】
以上、本考案に係る紙製ストロー具の一実施形態について図面を参照して詳述してきたが、具体的な構成は、この一実施形態に限らず、本考案の要旨を逸脱しない程度の設計的変更は、本考案に含まれる。
【００４３】
例えば、上記した一実施形態では、紙製ストロー具１０の固定部１４の係合部１４ａに楕円形状の孔部１５を形成したが、これに限定されず、図５に示すように、孔部１５に代えて、放射状の切込み１６，・・・を設け、紙製ストロー本体１１を挿通し、切込み１６，・・・で形成される片部１８，・・・により、紙製ストロー本体１１が適宜位置に保持できるように実施してもよい。
【産業上の利用可能性】
【００４４】
本考案に係る紙製ストロー具は、多くの人々が購入し、使用することができるので、産業上の利用可能性を有している。
【符号の説明】
【００４５】
１０    紙製ストロー具
１１    紙製ストロー本体
１２    コップ（容器）
１３    開口部
１３ａ  縁部
１４    固定部
１４ａ  係合部
１４ｂ  当接部
１５    孔部
１６    切込み
１７    飲料
１８    片部
Ｌ１    紙製ストロー本体の径寸法
Ｌ２    孔部の短径寸法
【図１】
0003219301.tif 000003
【図２】
0003219301.tif 000004
【図３】
0003219301.tif 000005
【図４】
0003219301.tif 000006
【図５】
0003219301.tif 000007